(57)【特許請求の範囲】
【請求項１】
移動車両の機体１後方に、左右横幅が移動車両の横幅よりも大きいサイドドライブ式のロータリ耕耘具２を連結し、このロータリ耕耘具２の横側方前端部には前方の内方側に向けて折り曲げ形成された案内面４を有する案内具３を取り付けるものにおいて、サイドドライブ式ロータリ耕耘具２の耕耘軸支持用サイドプレート２５の存在側には、上記案内具３と、側面視円弧状の天井カバー４２部とサイドプレート２５の外方を覆う立壁カバー４３部とからなるコーナーカバー４１とを交換して装着することを特徴とするロータリ耕耘具の防護装置。
【発明の詳細な説明】
【０００１】
【発明の属する技術分野】
この発明は、ロータリ耕耘具の防護装置に関するものであり、詳しくは、回転掘削する耕耘爪によって圃場表面を掘削し砕土するロータリ耕耘具において、耕耘作業を行なっているときは作物の巻き込みを防止し、走行移動を行なっているときは歩行者の巻き込みを防止しようとするものである。
【０００２】
【従来の技術】
従来公知の作物巻き込み防止装置は、実開昭５４−１４９２１号公報で示すように、移動車両の後部に作業機を取り付けたものにおいて、移動車両の機体側方から作業機側方に亘って大きな側板を起倒自在に設けるものや、実開昭５６−８９３０７号公報で示すように、作業機の左右に螺旋回転刃を取り付ける溝埋戻作業時に、保護枠を螺旋回転刃の上側両側に開閉突設するものがある。
【０００３】
【発明が解決しようとする課題】
このような従来構成のうち、実開昭５４−１４９２１号公報で示すものは、幅狭の作業機に対し、側板を作業機幅の略半分程度側方に向かって大きく突設すると共に、機体側方から作業機の側方まで前後方向に長く設けているので側板が重く大きくなっする前車輪に近くなるほど、機体の進行方向の修正や旋回等の操作を行なうたびに大きな側板を先に前車輪の邪魔にならない位置まで動かす必要が生じる。このような構成では、運転時の別操作が多くなったり、重い部材を動かすため、小さな圃場の繰り返し作業には適さない、運転者に負担を強いる構成である。
【０００４】
また、実開昭５６−８９３０７号公報で示すものは、保護枠が両側方に大きく突出しながら回動自在と成っているから、保護枠の回動調節の角度によっては回転具を安全に覆えなかったり、保護枠が邪魔ものになって他物に接当し易くなって、危険物になる恐れを有している。
【０００５】
【課題を解決するための手段】
この発明は、従来装置のこのような不具合を解消しようとするものであって、次のような技術的手段を講じた。即ち、移動車両の機体１後方に、左右横幅が移動車両の横幅よりも大きいサイドドライブ式のロータリ耕耘具２を連結し、このロータリ耕耘具２の横側方前端部には前方の内方側に向けて折り曲げ形成された案内面４を有する案内具３を取り付けるものにおいて、サイドドライブ式ロータリ耕耘具２の耕耘軸支持用サイドプレート２５の存在側には、上記案内具３と、側面視円弧状の天井カバー４２部とサイドプレート２５の外方を覆う立壁カバー４３部とからなるコーナーカバー４１とを交換して装着することを特徴とするロータリ耕耘具の防護装置とした。
【０００６】
【実施例】
図例は、農用トラクター５の後部に昇降自在に取り付けたロータリ耕耘装置であって、以下詳述する。農用トラクター５の機体１前後には、前後車輪６，７が設けられている。左右の前車輪６，６間部の機体１上方には、エンジン（図示せず。）が搭載されており、エンジンの周囲をボンネット８で覆っている。ボンネット８の後方にはハンドル９が設けられ、左右の後車輪７，７間上方に配置した座席１０に着座した運転者により操縦される。エンジンの駆動力は、図示しないが主クラッチや各部の伝動歯車を経て、後車輪７や前車輪６に伝達されており、農用トラクター５は前進または後進走行する。
【０００７】
機体１後部にはトップリンク１１と左右のロワーリンク１２，１２から成る三点リンク装置の一端側が取り付けられており、この三点リンクの他端側にロータリ耕耘具２のマスト１３先端部と左右の支枠１４，１４部が取付ピン１５，１５により軸着されている。１６はリフトアームであって、油圧シリンダーケース１７後部に軸１８を中心に上下回動自在に取り付けられており、アクチュエータ（図示せず。）により上下回動量を調整し操作される。リフトアクチュエータ１６の突出先端部と、ロワーリンク１２の前後方向中間部はリフトロッド１９で連結されており、リフトアーム１６の上下回動操作により、ロータリ耕耘具２が昇降する。
【０００８】
図２の平面図で示すロータリ耕耘具２は、サイドドライブ式のロータリであって、左右方向中央上部に設けた伝動ケース２０に入力したエンジンの駆動力を、図示しないベベルギヤや伝動軸２２等を介して一側端のサイド伝動ケース２１に伝えている。伝動ケース２０の左方外側部とサイド伝動ケース２１の内側上部間は左コネクトパイプ２３で接続され、伝動ケース２１の右方外側部とサイドプレート２５の内側上部間は右コネクトパイプ２４で接続されている。この左右のコネクトパイプ２３，２４により、ロータリ耕耘具２の上部は左右を剛的に接続され、下部の耕耘パイプ２６の左右両端部を回転自由状に、前述のサイド伝動ケース２１とサイドプレート２５で挾持保持して、ロータリの上下左右の強度メンバー部材を構成している。左右のコネクトパイプ２３，２４の内方側には、図２で示すように前述した支枠１４，１４が一体的に取り付けられている。サイド伝動ケース２１の上部である伝動軸２２の終端部には上部スプロケット２７が取り付けられ、サイド伝動ケース２１下部側の耕耘パイプ２６の端部には下部スプロケット２８が取り付けられ、上下スプロケット２７，２８間にチェーン２９を巻廻している。
【０００９】
サイドプレート２５は鉄板を平面視「コ」字状に折り曲げ、上下方向に長い側方強度メンバーとしている。図１で示すように、耕耘パイプ２６の外周には複数本の耕耘爪３０，３０．．．を全幅に亘って所定ピッチで取り付けており、耕耘パイプ２６の駆動回転によって泥土表面を掘削砕土する。耕耘爪３０，３０の回転軌跡の上方部は主カバー３１で覆われており、主カバー３１の後端部にはリヤカバー３２が支点３３廻りに上下揺動自在に取り付けられている。３４はプッシュプルロッドであって、下端部をリヤカバー３２に軸着し、上下方向中間部を主カバー３１側から突設するステー３５にスライド自由に取り付けると共に、加圧バネ３６，３６の位置調節によりリヤカバー３２の上下姿勢を変更している。
【００１０】
主カバー３１は薄鉄板を円弧状に押し曲げたものであり、主カバー３１の左右両側縁部に円弧に沿ったフランジ板３７を夫れ夫れ溶接一体化している。このフランジ板３７は主カバー３１の端部での強度向上、及び、ロータリ装置耕耘時の泥土の側方への飛散を防止するためのサイドカバー板４４を、取り付ける取付部を構成している。本発明においては、この左右のフランジ板３７，３７の前端に設けた開口３８部に、案内具３の基端取付板３９をボルト４０を介して着脱自在に固定している。
【００１１】
案内具３，３は、図２で示すように前方に向かって内方側に幅狭となるように折り曲げた案内面４，４を有して突出すると共に、図１で示すようにこの案内面４側が、案内具３の突出方向に対し上向き方向に略水平方向を向くように持ち上げられている。次に、案内具３取付後の作用について、説明する。
【００１２】
農用トラクター５の機体幅である後車輪７，７よりも幅広のロータリ耕耘具２の左右前端部に取り付けられた案内具３は、機体の進行方向「イ」の前側に向かって突出端部間隔を狭めている。この構成により、後車輪７より側方に突出した主カバー３１部に接当しようとする作物の茎葉や歩行者等は、案内具３の案内面４によりロータリ耕耘具２の幅外に押し出されてしまう。また、重量物である建築物等では、逆にロータリ耕耘具２が側方に押されて逃げる。これにより機体走行時に、ロータリ耕耘具２内に他物を引っ掛けたり巻き込んだりしないから、作物や歩行者や建築物やロータリ耕耘具に重大な破損や怪我を生じにくくなる。
【００１３】
図４で示すものは、別要部の部材を取り付けた実施例であって、果樹園での樹木の下枝等乱雑な突出物の破損を防止しようとするものであって、以下具体的に説明する。先ず、ロータリ耕耘具２の右側に取り付けた案内具３を取外し、ロータリ耕耘具２の右前コーナー部に設けた、強度メンバー部材である右側のサイドプレート２５と右フレームパイプ２４と主カバー３１部を、このコーナーカバー４１で覆っている。コーナーカバー４１は、側方視円弧状の天井カバー４２部とサイドプレート２５の外方を覆う立壁カバー４３部から成っている。図例では、立壁カバー４３を耕耘パイプ２６側方まで下方延出しているが、サイドプレート２５の前縁がなだらかであれば、立壁カバー４３の下方延出をサイドカバー４４の下縁程度に短くしていても良い。
【００１４】
天井カバー４２の前方下縁部は主カバー３１の前縁より下方に少し下がっており、斜め横上方向に伸びている樹木の下枝途中を「イ」方向への機体１移動により右フレームパイプ２４方向に押し上げ案内する。これにより、下枝先端側は後方にスムーズに移動する。天井カバー４２の後縁部は、強度メンバー部材である右側のサイドプレート２５と右フレームパイプ２４の後端部よりも後方まで伸びたところで無くなっており、機体進行により持ち上げた下枝を元の位置に戻す。
【００１５】
図例では、コーナーカバー４１を右側だけで説明したが、片側のみに設けたものが樹木の一側を廻り耕で掘削耕耘するのに対し、左右のコーナーにカバーを取り付けると、樹木列の間に農用トラクター５を乗り入れて、左右の樹木間での耕耘砕土作業が容易に行なえる。
【００１６】
【発明の作用効果】
この発明は、移動車両の機体１後方に、左右横幅が移動車両よりも大きいロータリ耕耘具２を連結し、このロータリ耕耘具２の横側方前端部には前方の内方側に向けて折り曲げ形成された案内面４を有する案内具３を取り付けたので、作業時に作物の茎幹部がこの案内具３の案内面４にガードされ、作物が巻き込まれるのを防止できる。また、移動時にあってはこの案内具３により歩行者の回転部分への巻き込みを防止できて安全性が高まる。また、コーナーカバー４１を案内具３に代えて装着すると、果樹園での樹木の下枝等乱雑な突出物の破損を防止できる。
【図面の簡単な説明】
【図１】ロータリ耕耘具の、掘削作業時の全体側面図である。
【図２】図１の平面図である。
【図３】要部の斜視図である。
【図４】コーナーカバー取り付け時の斜視図である。
【符号の説明】
１    機体
２    ロータリ耕耘具
３    案内具
４    案内面
２５  サイドプレート
４１ コーナーカバー
４２ 天井カバー
４３ 立壁カバー
【図１】
0003690071.tif 000002
【図２】
0003690071.tif 000003
【図３】
0003690071.tif 000004
【図４】
0003690071.tif 000005